【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
各々に対応する色フィルタが配置された複数の光電変換素子の光学レンズ上での位置に対応したシェーディング補正データと、撮像信号をデジタル値に変換したものとを乗算することで、レンズのシェーディング特性を補正するシェーディング補正方法であって、
前記複数の光電変換素子のうち第１の光電変換素子の前記光学レンズ上での位置に対応する第１のシェーディング補正データを、前記第１の光電変換素子上に配置された色フィルタの第１の色情報に対応する係数で補正する工程（ａ）と、
前記第１のシェーディング補正データを、前記第１の光電変換素子に隣接する第２の光電変換素子上に配置された色フィルタの第２の色情報に対応する係数で補正する工程（ｂ）とを備えたことを特徴とするシェーディング補正方法。
【請求項２】
前記第１のシェーディング補正データを、前記第１の光電変換素子に隣接し、前記第２の光電変換素子と異なる第３の光電変換素子上に配置された色フィルタの第３の色情報に対応する係数で補正をする工程（ｃ）を備えたことを特徴とする請求項１記載のシェーディング補正方法。
【請求項３】
前記第３の色情報は、前記第１の色情報および前記第２の色情報と異なるものであることを特徴とする請求項２記載のシェーディング補正方法。
【請求項４】
前記第１の色情報、前記第２の色情報及び前記第３の色情報は、赤色、緑色、青色のいずれか１つに対応するものであることを特徴とする請求項３記載のシェーディング補正方法。
【請求項５】
前記第１の色情報、前記第２の色情報及び前記第３の色情報は、マゼンタ、黄色、シアン、白のいずれかに対応するものであることを特徴とする請求項３記載のシェーディング補正方法。
【請求項６】
前記第１のシェーディング補正データを予め記憶している記憶手段から読み出す工程（ｄ）を備え、読み出された前記第１のシェーディング補正データは前記第１の色情報及び前記第２の色情報に対応する係数で補正することを特徴とする請求項１記載のシェーディング補正方法。
【請求項７】
前記第１のシェーディング補正データを算出する工程（ｅ）を備え、算出された前記第１のシェーディング補正データは前記第１の色情報及び前記第２の色情報に対応する係数で補正することを特徴とする請求項１記載のシェーディング補正方法。
【請求項８】
前記第１のシェーディング補正データの算出は、前記光学レンズからの制御信号に応じて演算手段により算出することを特徴とする請求項７記載のシェーディング補正方法。
【請求項９】
前記第１のシェーディング補正データの算出は、前記演算手段に入力されたプログラムにより行い、前記プログラムは入れ替え可能であることを特徴とする請求項８記載のシェーディング補正方法。
【手続補正２】
【補正対象書類名】明細書
【補正対象項目名】００１０
【補正方法】変更
【補正の内容】
【００１０】
本発明のシェーディング補正方法は、各々に対応する色フィルタが配置された複数の光電変換素子の光学レンズ上での位置に対応したシェーディング補正データと、撮像信号をデジタル値に変換したものとを乗算することで、レンズのシェーディング特性を補正するシェーディング補正方法であって、複数の光電変換素子のうち第１の光電変換素子の光学レンズ上での位置に対応する第１のシェーディング補正データを、第１の光電変換素子上に配置された色フィルタの第１の色情報に対応する係数で補正する工程（ａ）と、第１のシェーディング補正データを、第１の光電変換素子に隣接する第２の光電変換素子上に配置された色フィルタの第２の色情報に対応する係数で補正する工程（ｂ）とを備えたことを特徴とするものである。
【手続補正３】
【補正対象書類名】明細書
【補正対象項目名】００１１
【補正方法】変更
【補正の内容】
【００１１】
そのように構成することで、撮像素子に配置された異なる色フィルタに対応した撮像信号に乗算するシェーディング補正データに、それぞれの色フィルタの色情報に対応した係数で予め補正をかけることで、擬色の発生を抑制し、良好なシェーディング補正が可能となる。
【手続補正４】
【補正対象書類名】明細書
【補正対象項目名】００１２
【補正方法】変更
【補正の内容】
【００１２】
上記本発明のシェーディング補正方法においては、第１のシェーディング補正データを、第１の光電変換素子に隣接し、第２の光電変換素子と異なる第３の光電変換素子上に配置された色フィルタの第３の色情報に対応する係数で補正をする工程（ｃ）を備えていてもよい。
【手続補正５】
【補正対象書類名】明細書
【補正対象項目名】００１３
【補正方法】変更
【補正の内容】
【００１３】
上記構成において、第３の色情報は、第１の色情報および第２の色情報と異なるものとしてもよい。上記の第１の色情報、第２の色情報及び第３の色情報は、例えば赤色、緑色、青色のいずれか１つに対応するものである。また、上記構成において、第１の色情報、第２の色情報及び第３の色情報は、マゼンタ、黄色、シアン、白のいずれかに対応するものであってもよい。
【手続補正６】
【補正対象書類名】明細書
【補正対象項目名】００１４
【補正方法】変更
【補正の内容】
【００１４】
上記構成において、第１のシェーディング補正データを予め記憶している記憶手段から読み出す工程（ｄ）を備え、読み出された第１のシェーディング補正データは第１の色情報及び第２の色情報に対応する係数で補正するようにしてもよい。
【手続補正７】
【補正対象書類名】明細書
【補正対象項目名】００１５
【補正方法】変更
【補正の内容】
【００１５】
また、上記構成において、第１のシェーディング補正データを算出する工程（ｅ）を備え、算出された第１のシェーディング補正データは第１の色情報及び第２の色情報に対応する係数で補正するようにしてもよい。
【手続補正８】
【補正対象書類名】明細書
【補正対象項目名】００１６
【補正方法】変更
【補正の内容】
【００１６】
上記のように、第１のシェーディング補正データを算出する工程（ｅ）を備える構成においては、第１のシェーディング補正データの算出は、光学レンズからの制御信号に応じて演算手段により算出するようにしてもよい。
【手続補正９】
【補正対象書類名】明細書
【補正対象項目名】００１７
【補正方法】変更
【補正の内容】
【００１７】
上記構成において、第１のシェーディング補正データの算出は、演算手段に入力されたプログラムにより行い、プログラムは入れ替え可能であってもよい。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
本発明のシェーディング補正方法によれば、撮像素子に配置された異なる色フィルタに対応した撮像信号に乗算するシェーディング補正データに、それぞれの色フィルタの色情報に対応した係数で予め補正をかけることで、擬色の発生を抑制し、良好なシェーディング補正が可能となる。
【手続補正１３】
【補正対象書類名】明細書
【補正対象項目名】００３１
【補正方法】変更
【補正の内容】
【００３１】
図３および図４を用いて、第１の実施の形態および第２の実施の形態に適用されるシェーディング補正方法の説明を行う。図３は、撮像素子に対応するＣＣＤ１０２（または２０２）の概要説明図で、光電変換素子上に異なる色フィルタが配置され、３０１は赤色のフィルタが配置された光電変換素子、３０２は緑色のフィルタが配置された光電変換素子、３０３は青色のフィルタが配置された光電変換素子３０３であり、光電変換された撮像信号は垂直ＣＣＤ３０４を転送し、水平ＣＣＤ３０５に転送され、さらに高速に水平ＣＣＤで転送され出力アンプ３０６で増幅され、ＣＣＤ出力３０７より撮像信号を出力する。
【手続補正１４】
【補正対象書類名】明細書
【補正対象項目名】００３７
【補正方法】変更
【補正の内容】
【００３７】
【図１】第１の実施の形態の画像入力装置を示すブロック図である。
【図２】第２の実施の形態の画像入力装置を示すブロック図である。
【図３】本発明のシェーディング補正方法を説明するためのＣＣＤの概要説明図である。
【図４】本発明のシェーディング補正方法を示すための信号波形図である。
【図５】第１の実施の形態および第２の実施の形態の画像入力装置のシェーディング補正を説明する信号波形図である。
【図６】従来例の画像入力装置を示すブロック図である。